(57)【要約】【課題】現場の状況に的確に対応して、施工業者等が迅速且つ安全に作業を進めることができる支援システムを得る。【解決手段】複数の設備部材が接続して構成される設備網１００の支援システムを構成するに、設備部材単位で構成される設備ユニットuを個々に識別する固有識別子５を設備ユニットｕに付設して備えるとともに、設備ユニットｕと当該設備ユニットｕに接続される接続設備ユニットｕを一体とした部分設備図ｄを生成可能な接続情報を固有識別子５に関連づけて記憶した記憶手段５ａを備え、支援装置４から所定の範囲内に存する固有識別子５を順次認識し、認識された設備ユニットｕを含む設備図である部分設備図ｄを生成する部分設備図生成手段４ｃを備える。【選択図】図１
2006260539.tif 000002
【特許請求の範囲】
【請求項１】
複数の設備部材が接続して構成される設備網の支援システムであって、
前記設備部材単位若しくは所定個数接続された前記設備部材群単位で構成される設備ユニットを個々に識別する固有識別子を前記設備ユニットに付設して備えるとともに、
前記設備ユニットと当該設備ユニットに接続される接続設備ユニットを一体とした部分設備図を生成可能な接続情報を前記固有識別子に関連づけて記憶した記憶手段を備え、
支援装置から所定の範囲内に存する前記固有識別子を順次認識する認識手段を備えるとともに、
認識された前記固有識別子が備えられる認識設備ユニットそれぞれの前記接続情報に基づいて、前記認識設備ユニットを含む設備図である部分設備図を生成する部分設備図生成手段を備えた支援システム。
【請求項２】
前記設備ユニットに前記記憶手段が備えられている請求項１記載の支援システム。
【請求項３】
前記支援装置に前記部分設備図生成手段が備えられている請求項１又は２記載の支援システム。
【請求項４】
前記支援装置と情報通信可能で前記部分設備図生成手段を備えた処理装置を備え、
前記認識手段による、前記固有識別子の順次認識に伴って、前記部分設備図生成手段により前記部分設備図が生成されるとともに、前記処理装置から前記支援装置に前記部分設備図が送られる請求項１又は２記載の支援システム。
【請求項５】
前記接続情報とともに、前記設備ユニットに関連する技術的情報である支援情報が記憶されている請求項１〜４のいずれか1項記載の支援システム。
【請求項６】
前記設備ユニットが、前記所定個数接続された前記設備部材群として構成されるとともに、当該設備ユニットを代表する代表設備部材に前記固有識別子が付設され、
前記記憶手段に、当該固有識別子に関連づけて、前記代表設備部材に係る支援情報に加えて、当該設備ユニットを成す設備部材であって、前記代表設備部材以外の設備部材の支援情報も記憶されている請求項５記載の支援システム。
【請求項７】
前記代表設備部材が、前記設備網に関する技術的情報を計測する計測装置であり、前記計測装置は、計測結果を前記支援情報として当該計測装置に備えられる前記記憶手段に記憶させる請求項６記載の支援システム。
【請求項８】
複数の設備部材が接続して設備網を構成し、前記設備部材単位若しくは所定個数接続された前記設備部材群単位で成る設備ユニットであって、
前記設備ユニットを個々に識別する固有識別子と、
前記設備ユニットと当該設備ユニットに接続される接続設備ユニットを一体とした部分設備図を生成可能な接続情報を記憶した記憶手段とを備えた設備ユニット。
【請求項９】
前記所定個数接続された前記設備部材群として構成されるとともに、代表設備部材に前記固有識別子が付設され、
前記記憶手段に、当該固有識別子に関連づけて、前記代表設備部材に係る支援情報に加えて、当該設備ユニットを成す設備部材であって、前記代表設備部材以外の設備部材の支援情報も記憶されている請求項８記載の設備ユニット。
【請求項１０】
複数の設備部材が接続して構成される設備網の支援装置であって、
前記設備部材単位若しくは所定個数接続された前記設備部材群単位で構成される設備ユニットを個々に識別する固有識別子と、前記設備ユニットと当該設備ユニットに接続される接続設備ユニットを一体とした部分設備図を生成可能な接続情報とに対し、
支援装置から所定の範囲内に存する前記固有識別子を順次認識する認識手段を備えるとともに、認識された前記固有識別子が備えられた認識設備ユニットそれぞれの前記接続情報に基づいて、前記認識設備ユニットを含む部分設備図を生成する部分設備図生成手段を備えた支援装置。
【発明の詳細な説明】
【技術分野】
【０００１】
本発明は、複数の設備部材が接続して構成される設備網の支援システムに関するとともに、この種の支援システムを構成する設備ユニット、さらには、その支援システムで使用される支援装置に関する。
【背景技術】
【０００２】
このような設備網を備えた設備の代表例としては、都市ガス供給設備、ガス製造工場にある製造設備等がある。従来、この種の設備網の維持・保全を行うため、膨大な量の設備図面を保有して、その維持・管理を行ってきた。
【０００３】
この種の設備図面は、各設備の立ち上げ時に作成されるとともに、増設・更新工事を行った場合には、逐次、増設・更新工事に対応して、設備図面のメンテナンスが行われるのが通常である。
【０００４】
設備の維持・管理は既設の設備図面を基礎に実行されるのであるが、ガス供給設備網を例に採ると、特定の地域の都市ガス供給用の設備網を対象とする場合、その地域を管轄するガス供給会社の部署にその設備図面が一元管理されるとともに、実際に現場工事を行う代理店等の施工業者により、その地域の設備図面が管理される等、比較的複雑な構成が採用されている。
【０００５】
さらに、ガス供給設備網を対象とする場合、例えば、ガス需要家の工場内、ビル内の導管ルート、供給配管網等が、維持・管理の対象となる。
【０００６】
ガス供給設備網については、その基幹網に関して、設備に関する情報をデータベース化し、構築されたデータベースを共有して、維持・管理に役立たせようとする技術が提案されている（特許文献１）。
【０００７】
一方、鉄道の保全検査技術の分野では、設備網を構成する設備部材のそれぞれに所謂ＩＣタグを付設し、このＩＣタグに各設備部材の保全情報を記憶させておき、設備部材それぞれに一対一で対応した情報を的確に記憶させ、この情報を利用して、適切な保全を行うことが提案されている（特許文献２）。
【０００８】
【特許文献１】特開２００２−２９７７０７号公報（図１、図５）
【特許文献２】特開２００３−１３２１６７号公報（図１、図２）
【発明の開示】
【発明が解決しようとする課題】
【０００９】
しかしながら、例えば都市ガス供給管路網を例に取ると、ガス需要家の工場内にある配管網、ビル内の導管ルート、幹線から各家庭に至る配管網まで、その維持・管理対象の配管網が膨大であるため、完全な設備図面が完備されているとは言いがたい。この点、特にガス需要家の工場内にある配管網、ビル内の導管ルート等に関してはなおさらである。例え、最初の配管網の設置時には完備していたものであっても、増築・改修等を重ねた設備にあっては、現状の設備図を確実に管理するのは容易ではない。
【００１０】
さらに、通常、工事の発注側と施工側が分離しているとともに、工事現場状況に現場合わせで逐次最適な設備種が選択されて増築・改修等が行われるため、現場の設備状況が、管理者側で管理している設備図面と乖離している場合がある。
【００１１】
このように、設備図面と現場の設備とに乖離が発生している場合に、後日、さらにその現場で工事を行う必要が発生し、別の施工業者が現場で作業を開始しようとすると、的確に現場の設備状況を把握できず、現場状況の正確な把握に手間がかかる、或いは設備図面を保持している管理者に問い合わせる必要が生じる等、問題がある。
【００１２】
従って、現今、都市ガス供給者にあっては、長期にわたり効率的且つ正確に設計情報・図面情報を活用できるシステムを求めている。特に、現場で手軽に、いつでも図面を確認することができれば、作業の効率化及び誤作業の防止を図ることができる。
【００１３】
さらに、各設備ユニットに関して、例えば、その設備ユニットの保全・点検に関する情報はユニット毎に特定されるべきものであり、さらには、真に保全・点検を行ったとの証拠ともなるべき情報である。この点からすると、保全・点検時の情報等が、その保全・点検を行った時点・時点で、その作業対象となった設備ユニットとともに保存（その設備ユニットに保持）されることが好ましいが、この種の情報が、従来、当該設備ユニットとともに保存されることは無かった。
本発明は、このような課題に鑑みてなされたものであり、その目的は、現場の状況に的確に対応して、施工業者等が迅速且つ安全に作業を進めることができる支援システムを得ることにある。
また、設備ユニットに関する様々な情報を、設備ユニット毎に確実に残すことができる支援システムを得ることにある。
【課題を解決するための手段】
【００１４】
上記目的を達成するための本発明に係る複数の設備部材が接続して構成される設備網の支援システムの第１の特徴手段は、
前記設備部材単位若しくは所定個数接続された前記設備部材群単位で構成される設備ユニットを個々に識別する固有識別子を前記設備ユニットに付設して備えるとともに、
前記設備ユニットと当該設備ユニットに接続される接続設備ユニットを一体とした部分設備図を生成可能な接続情報を前記固有識別子に関連づけて記憶した記憶手段を備え、
支援装置から所定の範囲内に存する前記固有識別子を順次認識する認識手段を備えるとともに、
認識された前記固有識別子が備えられる認識設備ユニットそれぞれの前記接続情報に基づいて、前記認識設備ユニットを含む設備図である部分設備図を生成する部分設備図生成手段を備えたことにある。
【００１５】
この支援システムでは、設備網を構成する設備ユニット個々に固有識別子が備えられ、この固有識別子により設備ユニットが同定される。
さらに、固有識別子で識別される個々の設備ユニットに対して、システムに備えられる記憶手段内に、その同定された設備ユニットを含む部分設備図を作成可能な接続情報が記憶されている。
【００１６】
一方、システムを構成する支援装置には認識手段が備えられ、この認識手段により、支援装置から所定の範囲内にする固有識別子が順次認識できる構成が採用されている。従って、現場作業員は、この支援装置を現場に持参し、認識手段を働かせて、支援装置の近傍にある固有識別子を識別させる。
【００１７】
この支援システムには部分設備図生成手段が備えられており、この手段により、認識された固有識別子が備えられる認識設備ユニットそれぞれの接続情報に基づいて、この認識設備ユニットを含む設備図である部分設備図が生成される。
結果、現場作業員は、このようにして生成された部分設備図を参照して作業を進めることができる。
【００１８】
この構成の場合、設備ユニット単位で、固有識別子及び接続情報が記憶されているため、生成される部分設備図は、現実の現場状況を確実に代表できる部分設備図となる。結果、信頼性の高い設備図に基づいて、迅速且つ安全に作業を進めることができる。
【００１９】
上記構成において、前記設備ユニットに前記記憶手段が備えられていることが好ましい。
この場合、設備ユニットには、その個別認識用の固有識別子と記憶手段が備えられる。結果、特定の設備ユニットは、その記憶手段に少なくとも接続情報が記憶されている形態を取る。
よって、後日のその設備ユニットを含む工事地域に関して、現場にいながらその設備ユニットから接続情報を吸い上げて、その地域の部分設備図を生成することができる。即ち、現場にて、部分設備図の作成作業を完了することが可能となる。
【００２０】
一方、前記支援装置に前記部分設備図生成手段が備えられている構成も好ましい構成である。
この構成にあっては、部分設備図の生成を支援装置で行うことが可能となるため、同様に、現場で必要な部分設備図を迅速に得ることが可能となる。
【００２１】
さて、前記支援装置と情報通信可能で前記部分設備図生成手段を備えた処理装置を備え、
前記認識手段による前記固有識別子の順次認識に伴って、前記部分設備図生成手段により前記部分設備図が生成されるとともに、前記処理装置から前記支援装置に前記部分設備図が送られる構成を採用することも好ましい。
【００２２】
部分設備図生成手段を支援装置内に備えることなく、処理装置内に備える。この構成の場合、先ず、支援装置側に部分設備図生成手段を備える必要がないため、支援装置に別の機能を付加することが容易となる。
さらに、処理装置は、全ての支援装置に対する統合的な装置とすることが可能となる。そして、部分設備図の生成の度毎に、処理装置側でこの情報を管理することが可能となり、結果的に現場での変更状況を処理装置側で把握して、支援システムが対象とする設備網全体の変更状態を容易に把握できることとなる。
【００２３】
さて、前記接続情報とともに、前記設備ユニットに関連する技術的情報である支援情報が記憶されていることが好ましい。
この種の支援情報としては、例えば、設備ユニットに関する保全情報、点検情報、設備ユニット内を流れる流体の運転情報、劣化情報等を挙げることができる。
前記保全情報としては、当該ユニットに施された保全処理の情報（例えば、保全処理時期、保全処理内容、保全処理結果の評価等）が記憶されることとなるが、現場作業員は、現場で工事を行おうとする状況で、この種の情報に基づいて当該ユニットに必要となる新たな保全作業の要否を判断することができる。さらに、点検時の点検結果に関する情報である点検情報も記憶されていることが好ましい。
【００２４】
前記運転情報とは、現状で設備内を流れている流体の流体種、圧力、流量等、あるいは、過去にこの設備ユニット内を流れた流体の流体種、圧力、流量等を挙げることができる。
そして、この種の情報を現場で作業員が得た場合には、この種の運転情報に基づいて、作業実施の可・不可を適切且つ迅速に判断できる。
【００２５】
前記劣化情報には、所謂、腐食情報も含まれ、腐食状況の検査結果、腐食検査時の腐食状況の写真、検査部分の板厚等を挙げることができる。
【００２６】
このように、各設備ユニット毎に、そのユニットに関連する支援情報である支援情報を記憶させておくことで、現場で作業員がその設備ユニットに関して必要な情報を確認して作業を行うことができる。
さらに、例えば、保全・点検に関する情報のように、客観視できる支援情報を設備ユニット単位で記憶・保持しておくことで、第三者への説明責任を確保することができるようになる。結果、隠蔽・改ざん等が行われる可能性を低くでき、信用度を確保できる。
【００２７】
上記のような支援情報をも記憶した支援システムを構築するに、前記設備ユニットが、前記所定個数接続された前記設備部材群として構成され、当該設備ユニットを代表する代表設備部材に前記固有識別子が付設され、
前記記憶手段に、当該固有識別子に関連づけて、前記代表設備部材に係る支援情報に加えて、当該設備ユニットを成す設備部材であって、前記代表設備部材以外の設備部材の支援情報も記憶されていることが好ましい。
【００２８】
この構成は、設備ユニットが複数の設備部材群として成立している場合に好適な例である。この場合は、設備ユニットが設備部材群として成立しているため、部分設備図は設備ユニット単位で生成される。
一方、設備ユニットが複数の設備部材から成立しており、例えば、当該設備ユニット内に、配管部材が接続された配管群と、この配管群の特定部位に備えられる計測装置が含まれている場合、この計測装置を代表設備部材とし、配管群を代表設備部材以外の部材としておき、代表設備部材側で、当該設備ユニットに関する情報（設備ユニット単位の接続情報、代表設備部材およびそれ以外の設備部材の支援情報）を記憶させておくのである。
このようにしておくと、代表設備部材に備えられる固有識別子に関連づけられた記憶手段に記憶された情報を逐次更新するたけで、その設備ユニットをなす設備部材個々の情報をも、容易に得ることができる。
さらに、本願が対象とするような設備網においては、比較的頻繁に保全が施される設備部材と、比較的長い期間、特に作業の対象とならない設備部材が存在するが、代表設備部材として比較的頻繁に保全が施される設備部材を選んでおくと、作業の対象を代表設備部材に行うものでありながら、他の部材に関する情報も容易に得ることができる。
【００２９】
さて、前記代表設備部材が、前記設備網に関する技術的情報を計測する計測装置であり、前記計測装置は、計測結果を前記支援情報として当該計測装置に備えられる前記記憶手段に記憶可能に構成されることが好ましい。設備網で使用される計測装置は、比較的頻繁に保全（交換を含む）が施されるため、この種の装置を代表設備部材として選定しておくことで、当該装置が属する設備ユニットに関する情報を好適に、その代表設備部材に係る情報として更新しながら、設備ユニット全体の情報を最新のものに維持できる。
【００３０】
さて、これまで説明してきた支援システムを構成するには、
その設備ユニットとして、これに、設備ユニットを個々に識別する固有識別子と、この設備ユニットと当該設備ユニットに接続される接続設備ユニットを一体とした部分設備図を生成可能な接続情報を記憶した記憶手段とを備えて構成できる。
この場合は、固有識別子と記憶手段とを備えることで、支援装置を使用して、設備ユニットを特定するとともに、そのユニットに付設された記憶手段に記憶された接続情報を使用して、部分設備図を現場で迅速に生成できる。
【００３１】
この構成の設備ユニットに関して、設備ユニットが所定個数接続された設備部材群として構成され、このユニット単位で管理する場合は、その設備ユニットの代表設備部材に固有識別子が付設され、
記憶手段に、当該固有識別子に関連づけて、前記代表設備部材に係る技術的情報である支援情報に加えて、当該設備ユニットを成す設備部材であって、前記代表設備部材以外の設備部材の技術的情報である支援情報も記憶されている構成を採用することで、この設備ユニットを使用することで、本願の目的を見たす支援システムを構築できる。
【００３２】
一方、複数の設備部材が接続して構成される設備網の支援装置としては、
前記設備部材単位若しくは所定個数接続された前記設備部材群単位で構成される設備ユニットを個々に識別する固有識別子と、前記設備ユニットと当該設備ユニットに接続される接続設備ユニットを一体とした部分設備図を生成可能な接続情報とに対し、
支援装置から所定の範囲内に存する前記固有識別子を順次認識する認識手段を備えるとともに、
認識された前記固有識別子に基づいて、前記固有識別子が備えられた認識設備ユニットそれぞれの前記接続情報に基づいて、前記認識設備ユニットを含む部分設備図を生成する部分設備図生成手段を備えたものとして、現場での部分設備図の作成、利用の用に供することができる。
【発明を実施するための最良の形態】
【００３３】
本発明の実施の形態について、図面に基づいて説明する。この実施の形態にあっては、設備網が配管網１００で、設備部材が配管部材である場合に関し、この配管網１００が隠蔽体１により隠蔽されている場合について説明する。
【００３４】
図１に示すように、本願は複数の配管部材が接続して構成される配管網１００の支援システム２に関するものであり、現場作業員３が適宜作業現場に所持していき、作業前に現場での配管状況を把握するためのハンディコンピュータからなる支援装置４と、配管網１００を成す配管部材に取り付けられたＩＣタグ５を主要な構成機器として成立する。
【００３５】
第一の実施形態
図１に示す例は、配管網１００を成す夫々の配管部材に識別用のＩＣタグ５を備えた例であり、このＩＣタグ５は固有識別子として働くとともに、図２に示すように、タグ内に記憶部５ａを備え記憶手段として働く構成を備えている。
一方、上記の支援装置４は、図１、２に示すように、入出力部４ａ、認識手段４ｂ及び部分設備図生成手段４ｃを備え、この支援装置に対して所定の範囲内にある固有識別子５を認識するとともに、認識されたＩＣタグ５に対してその記憶部５ａに記憶されている属性情報から、図３に示すような、その固有識別子５が付設された配管ユニットｕを含む部分設備図ｄを作成することができるように構成されている。
以下、個別に説明する。
１  配管ユニットｕ
本願にいう配管ユニットｕは、配管網１００を構成する単位として認識されるユニット部材であり、直管、エルボ、配管用フランジ部材、バルブ等である。図１に示す例では、配管網１００を個別に構成する配管部材を個別に配管ユニットｕとして構成している。図１に示す例では、図面左から順に、流体圧計測装置ｕ１，直管ｕ２、直管ｕ３、エルボｕ４、直管ｕ５、エルボｕ６、直管ｕ７、エルボｕ８、直管ｕ９、エルボｕ１０、配管用フランジ部材ｕ１１、バルブｕ１２、配管用フランジ部材ｕ１３等を備えて、配管網が構成されている。
【００３６】
同図に示すように、各配管ユニットｕにはＩＣタグ５が備えられており、各配管ユニットｕが識別可能な構成が採用されている。そして、図２に示すように、このＩＣタグ５は記憶部５ａを有しており、この記憶部５ａ内に、当該配管ユニットｕの属性情報が記憶されている。さらに、この記憶部５ａに対して支援装置４との間で通信を行う通信部５ｂを備えて構成されている。この通信部５ｂを介することで、前記支援装置４は、ＩＣタグ５の認識を行う外、記憶部５ａに記憶された情報を必要に応じて読み出したり、変更したりできる。
【００３７】
図２に示すように、この記憶部５ａには、読み出しのみが可能なＲＯＭからなる第１記憶部ｍ１と、書き込み・読み出し自由なＲＡＭからなる第２記憶部ｍ２が設けられる。
第１記憶部ｍ１には、図示するように、例えば、工場出荷時に各設備部材に付与される出荷識別番号が記憶される。一方、第２記憶部ｍ２には、図示するように、各設備部材を設備網に設備する段階で各設備部材に付与される設置識別番号ｉ０が記憶されるとともに、先に説明した属性情報が記憶される。ここでいう設置識別番号ｉ０は、図１において各配管ユニットに与えられている番号と同一のものであり、設備網基準で与えられる番号である。
【００３８】
属性情報としては、配管ユニットｕの配管接続に関する情報である接続情報ｉ１、配管ユニットｕ自体の形状等に関する自己情報ｉ２、配管ユニットｕに対して行われて来た保全に関する情報である保全情報ｉ３、さらに、配管ユニットｕ内を流れる流体ｆの運転情報ｉ４（運転履歴情報を含む）が記憶格納されている。さらに、本願にいう劣化情報あるいは点検情報が記憶格納されていてもよい。
【００３９】
前記接続情報ｉ１とは、当該配管ユニットｕに対して、配管ユニットｕの大きさ、その左右に接続されている接続配管ユニットｕ（例えば、直管ｕ３を当該配管ユニットｕとする場合、左側に接続される直管ｕ２及び、右側に接続されるエルボｕ４が接続配管ユニットｕとなる）の特定と、当該配管ユニットｕに対する位置関係（直管ｕ２に関しては左側に位置するとの情報、エルボｕ４に関しては右側に位置するとの情報）等である。
【００４０】
さらに、配管網１００が地上管の場合はその配設高さ情報、埋設管の場合はその埋設深さ情報も接続情報に含まれる。さらに、配管ユニットｕ個々に対して、例えば、工場内に設定される特定地点あるいは配管網の特定部位からの位置情報、さらには、その区域の基準位置に対する方位及び距離も接続情報として記憶される。
この接続情報ｉ１を使用することにより、部分設備図生成手段４ｃは部分設備図ｄを生成できる。
【００４１】
前記自己情報ｉ２とは、当該配管ユニットｕに関する情報であり、その材料、口径、板厚、長さ等であり、当該配管ユニットｕの材質、形状、機能を特定できる情報である。
【００４２】
前記保全情報ｉ３とは保全履歴情報であり、当該配管ユニットｕに保全が施された日時、作業内容等に関する情報である。
【００４３】
前記運転情報ｉ４には現状における当該配管ユニットｕ内を流れている流体ｆ（都市ガス供給配管の場合は都市ガス）に関する情報であり、流体種、流体圧、流量、流体の温度、さらには、その部位の振動等がこれに当たる。さらに、この運転情報ｉ４としては、運転履歴情報も含まれており、今対象としている配管ユニットｕに関して、その中を流れた流体に関する情報も含まれる。流体圧、流量に関しては、特定の配管ユニットｕの近傍に設けられている計測装置（図１，４の場合は、流体圧計測装置ｕ１）からの計測情報が逐次書き込まれる形態が採用されている。
【００４４】
先に説明した劣化情報には腐食情報を含むことができ、腐食状況の検査結果、腐食検査時の腐食状況の写真、検査部分の板厚等を挙げることができる。このように、各設備ユニット毎に、その腐食情報を記憶させておくことで、現場で施工者がその設備ユニットの腐食状況を確認して作業時に注意を図ることができる。
【００４５】
また、先に説明した点検情報には、保全工事等の前後に実施される点検の結果や、日々又は定期的に実施されるパトロール等の結果を挙げることができる。これらの点検結果は、点検現場での入力・修正とすることで、隠蔽・改竄等が行われる可能性を低くすることができ、結果として第三者への説明責任を確保することができる。
【００４６】
記憶部５ａに記憶される情報は、配管網１００の構築時には、その配管ユニットｕ自体の製造現場で入れられたり、現場で入力されたりする。そして、本願が問題とするような増設・改変の場合は、後述する支援装置４を介して、逐次、現場作業時に入力される。
従って、配管ユニットｕに付設のＩＣタグ５に記憶された情報は、最新の現場状態を確実に代表できる情報となる。
【００４７】
結果、一群の配管ユニットｕの記憶部５ａに記憶された情報を、各配管ユニットｕに関連づけて収集してくることにより、特定の配管ユニットｕを含む特定範囲の部分設備図ｄが作成可能となるとともに、その部分に関する現在及び過去の保全情報ｉ３、運転情報ｉ４を的確に収集することが可能となっている。
劣化情報あるいは点検情報を含む場合は、これらの情報も的確に保持されていることとなる。
【００４８】
２  支援装置４
この装置４は、現場作業員３によって現場に持参される装置４であり、現場における部分設備図ｄの作成の用に供される。この装置４は、図１に示すように、所謂、ハンディコンピュータから構成される。
図１、図２に示すように、この装置４には、入出力手段を成す入出力部４ａが設けられているとともに、認識手段４ｂ及び部分設備図生成手段４ｃが備えられている。ここで、入出力部４ａは、図示するように、キーボードタイプの入力部４ａａと所定の出力情報を出力するためのディスプレイからなる出力部４ａｂを有して構成されている。
この入力部４ａａからの入力処理に関して処理順に説明すると、以下のような操作を「開始指令操作」に従ってマニュアルで行うように構成されている。以下の例にあっては、理解を容易とするためにマニュアルで行う場合に関して説明するが、「開始指令操作」に従ってそれ以降の動作をオートで行うものとしてもよい。
１：部分設備図生成作業の開始を指令する開始指令操作
２：部分設備図生成の対象とする支援装置４からの範囲を指定するための対象地域特定の指定操作
３：特定された対象地域内に存在する固有識別子及びそれに関連付けられた記憶情報（接続情報）の取り込み指令操作
４：特定された対象地域内の配管網である部分設備図の生成、出力の指令操作
５：部分設備図が生成された対象地域内における保全情報の出力指令操作
６：部分設備図が作成された対象地域内における運転情報の出力指令操作
７：部分設備図が作成された対象地域内における他の情報の出力指令操作
【００４９】
さらに、ＩＣタグ５に設けられている記憶手段５ａ内の情報ｉ０，ｉ１，ｉ２，ｉ３，ｉ４を書き換える場合に、入力部４ａａからの入力操作によって、これら情報を書き換え可能に構成されている。
図３に示すように、出力部４ａｂにあっては、上記４の指令に従って、部分設備図ｄが生成され、ディスプレイに表示出力されるとともに、必要な場合はプリンター等（図示省略）で印字出力することが可能とされている。さらに、保全情報ｉ３、運転情報ｉ４等も順次出力可能となっている。本願システムにあっては、これら情報は、配管ユニットｕ単位で記憶・蓄積されているため、これら出力にあっても、配管ユニットｕ単位の出力が、部分設備図ｄとの対照において可能となっている。
【００５０】
前記認識手段４ｂは、前記対象地域である、支援装置４から所定の範囲内に存する固有識別子５を無線信号の授受で順次認識する手段であり、認識された固有識別子５毎に、それに関連づけてその接続情報を読み出す手段である。
結果、支援装置４内に自動的に、対象地域内にある全ての配管ユニットｕに関して、その固有識別子５、接続情報ｉ１、自己情報ｉ２、保全情報ｉ３さらに運転情報ｉ４の情報テーブルｔが生成され、支援装置４に備えられている記憶部４ｄに格納される。劣化情報あるいは点検情報を含む場合は、これらの情報も格納される。
【００５１】
前記部分設備図生成手段４ｃは、所謂、ＣＡＤシステム（コンピュータエイディドデザイン）のシステムであり、上述の情報テーブルｔから必要な接続情報ｉ１を抽出して、対象地域内にある部分設備図ｄを生成する。
このようにして得られた部分設備図ｄもまた、支援装置４の記憶部４ｄに記憶格納される。
以上のようにして、本願に係る支援装置４を使用することで、現場で、簡易、迅速に、現場周辺の対象地域に関して、部分設備図ｄ及びその図内に含まれる配管ユニットｕに関する保全情報ｉ３及び運転情報ｉ４を得ることができる。
劣化情報あるいは点検情報を含む場合は、これらの情報をも得ることができる。
【００５２】
３  処理装置６
図１に示すように、この実施の形態に記載の支援装置４は、配管ユニットｕに付設されるＩＣタグ５との情報交換が可能となっているとともに、都市ガス事業者の部署に備えられている処理装置としての管理端末６とも情報交換可能に構成されている。
そして、支援装置４が特定の対象地域について、その地域の部分設備図ｄを作成した段階で、その図面情報及び関連するテーブル情報が管理端末６側に吸い上げ可能に構成されている。管理端末６においては、当該対象地域に関して、自らが有している部分設備図ｄとの対比を実行し、その対比の結果、齟齬がある場合は、支援装置４側から送られてきた情報を真の情報として、自らが保有している情報を書き換えるように構成されている。
このようにシステムが構築されることで、多数の支援装置４を現場作業員が持参して、部分設備図ｄを生成して作業を進めるとともに、管理端末６側にある情報を現場の情報に書き換えて、信頼性の高い配管網１００に関する情報を得ることが可能となっている。
【００５３】
以下、この構成例の支援システム２に関してその使用例を図１〜４に基づいて説明する。
図１は、これまでも説明してきたように、現在、現場で工事の対象となっている配管網の一部を示す図である。一方、図４は、以前に、バルブｕ１２より上手側（図４において左側）が単なる直管ｕ３０から形成されていた状況を示す例である。
この例では、図４に示す状態から図１に示す状態に直管ｕ３０が、バルブ上手側のＵ字管部ｕ３，ｕ４，ｕ５，ｕ６，ｕ７，ｕ８，ｕ９，ｕ１０として交換されたものとする。
【００５４】
図４から図１に示す構造への工事に際して、現場作業員３は、直管ｕ３、エルボｕ４、直管ｕ５、エルボｕ６、直管ｕ７、エルボｕ８、直管ｕ９、エルボｕ１０夫々に、ＩＣタグ５を取り付け、その記憶部５ａに、支援装置４を介して、その作業時点における設置識別番号ｉ０、接続情報ｉ１、自己情報ｉ２、保全情報ｉ３、運転情報ｉ４を記憶させておく。劣化情報あるいは点検情報を含む場合は、これらの情報をも記憶させておくこととなる。
ここで、運転情報ｉ４に関して、その流体圧力等の情報は流体圧計測装置ｕ１からの計測情報により逐次更新される。
そして、現場の配管系統が図１に示す状態になっている状況で、別の作業員３が工事を行う場合は、本願に係る支援装置４を持参し、先に説明した所定の手順に従って対象地域を特定するとともに、その対象地域の部分設備図ｄを得るとともに、保全情報ｉ３、運転情報ｉ４等を得て作業を行うことができる。
この作業は以下の順に進む。
１：部分設備図生成作業の開始を指令する開始指令操作
作業員３は、支援装置４のキー操作により、この開始指令を入力する。
支援装置４側では、部分設備図生成の準備が整う。
２：部分設備図生成の対象とする支援装置からの範囲を指定するための対象地域特定の指定操作
作業員３は、支援装置４のキー操作により、対象地域を特定する。
この特定に際しては、現場で工事の対象となる範囲の部分設備図ｄを得るべく、その対象地域を支援装置４の周囲，何メータ以内等として指定する。
装置４側では、認識手段４ｂによって認識すべき範囲が特定される。
３：特定された対象地域内に存在する固有識別子及びそれに関連付けられた記憶情報（接続情報）の取り込み指令操作
この操作に従って、装置４側では自動的に所定範囲内にある固有識別子５が認識される。
４：特定された対象地域内の配管網である部分設備図の生成、出力の指令操作
この操作に伴って、支援装置４側から認識している全ての固有識別子５の情報及び、記憶手段である記憶部５ａに記憶されている情報を使用して、部分設備図生成手段４ｃにより部分設備図ｄが自動生成され、出力される。
５：部分設備図が生成された対象地域内における保全情報の出力指令操作
支援装置４側では、必要な場合、保全情報ｉ３を、作業員３による出力指令操作に従って、出力部４ａｂに表示する。
６：部分設備図が作成された対象地域内における運転情報の出力指令操作
支援装置４側では、必要な場合運転情報を、作業員３による出力指令操作に従って、出力部４ａｂに表示する。
７：部分設備図が作成された対象地域内における他の情報の出力指令操作
支援装置４側では、必要な場合劣化情報あるいは点検情報を、作業員３による出力指令操作に従って、出力部４ａｂに表示する。
【００５５】
第二の実施形態
先に説明した第一の実施形態にあっては、各配管ユニットｕに付設されるＩＣタグ５に記憶部５ａを備え、その記憶部５ａが接続情報ｉ１、自己情報ｉ２、保全情報ｉ３、運転情報ｉ４等の全ての情報を記憶・格納しており、さらに支援装置４に部分設備図生成手段４ｃを備えて、ＩＣタグ５と支援装置４とで、実質上、支援システムが、その主要な動作において完結する構成を示したが、支援装置４と本部７にある管理端末６（本願にいう処理装置）とを通信可能とし、複雑な情報ｉの記憶及び部分設備図ｄの作成に関しては、処理装置６側にその役割を担わせてもよい。
このような例を図５に示した。
図５は、第一実施の形態における図２に対応する図面であり、配管網１００を構成する各配管部材が、それぞれ単独で配管ユニットｕとなり、それら各配管ユニットｕにＩＣタグ５が備えられていることに関して、変わりはない。
この実施の形態では、ＩＣタグ５は、単純に固有識別子としての役割を担っており、それ以上の機能は果たさない。従って、このＩＣタグ５に備えられる第１記憶部ｍ１、第２記憶部ｍ２には、それぞれ先に説明した出荷識別番号及び設置識別番号ｉ０のみが記憶される。
これに対して、図示するように、管理端末６が配置されている本部７内には、本願にいう記憶手段６０ａが備えられるとともに、部分設備図生成手段４ｃが配置されている。
記憶手段６０ａには、各配管ユニットｕに関し、その固有識別子５に関連付けて、接続情報ｉ１、自己情報ｉ２、保全情報ｉ３及び運転情報ｉ４等が記憶されている。
この例の場合も、部分設備図生成手段４ｃに関しては、接続情報ｉ１が、これまで説明してきた情報に基づいて対象地域内の部分設備図ｄを生成可能な情報である点において変わりはない。
【００５６】
従って、この実施の形態においては、図４に示した状態から図１に示す状態に配管の交換工事を実行する段階で、工事終了後に各配管部材にＩＣタグ５を付設するとともに、ＩＣタグ５を付設した配管ユニットｕに関する接続情報ｉ１、自己情報ｉ２、保全情報ｉ３、運転情報ｉ４を、支援装置４から処理装置６側に備えられる記憶手段６０ａに、固有識別子５に対応づけて記憶させておく。
【００５７】
その後の図５に示す状態での作業・機器動作の順は以下のようになる。
１：部分設備図生成作業の開始を指令する開始指令操作
作業員３は、支援装置４のキー操作により、この開始指令を入力する。
支援装置４側では、部分設備図生成の準備が整う。
２：部分設備図生成の対象とする支援装置からの範囲を指定するための対象地域特定の指定操作
作業員３は、支援装置４のキー操作により、対象地域を特定する。
この特定に際しては、現場で工事の対象となる範囲の部分設備図を得るべく、その対象地域を支援装置の周囲，何メータ以内等として指定する。
装置４側では、認識手段４ｂによって認識すべき範囲が特定される。
３：特定された対象地域内に存在する固有識別子及びそれに関連付けられた記憶情報（接続情報）の取り込み指令操作
この操作に従って、装置側では自動的に所定範囲内にある固有識別子が認識される。
４：特定された対象地域内の配管網である部分設備図の生成、出力の指令操作
この操作に伴って、支援装置４側から認識している全ての固有識別子５の情報が処理装置６側に送られ、処理装置６側では、記憶手段６０ａに記憶されている情報を使用して、部分設備図生成手段４ｃにより部分設備図ｄが自動生成される。
この自動生成処理の後、生成された部分設備図ｄが支援装置４に送り返される。この時、関連する保全情報ｉ３及び運転情報ｉ４等が、同時に支援装置４側に送られる。
５：部分設備図が生成された対象地域内における保全情報の出力指令操作
支援装置４側では、送られてきた保全情報ｉ３を、作業員３による出力指令操作に従って、出力部４ａｂに表示する。
６：部分設備図が作成された対象地域内における運転情報の出力指令操作
支援装置４側では、送られてきた運転情報を、作業員３による出力指令操作に従って、表示手段に表示する。
劣化情報あるいは点検情報に関する処理も同様となる。
このようにしても、本願の目的を達成することができる。
【００５８】
第三の実施形態
先に説明した第一の実施形態にあっては、設備部材である個々の配管部材ｕにＩＣタグ５を備え、管理する例を示したが、第三の実施形態は、複数の配管部材ｕを接続して成る設備ユニットとしての配管ユニットＵ１，Ｕ２毎にＩＣタグ５を付設し、管理する。
【００５９】
図６は図１に対応する図面であり、図７は図２に対応する図面であり、図８は図３に対応する図面である。
図６に示すように、ＩＣタグ５の構造及び付設状況を除いて、都市ガス供給管路網の構成は図１に示したものと同一であり、図４に示す状況から図６に示す状況へ配管網が変更されたことに変わりはない。
【００６０】
さて、この実施形態にあっては、ＩＣタグ５との関係において、配管網１００は配管ユニットＵ１，Ｕ２単位で管理される。図６に示す例では、配管部材ｕ１，ｕ２，ｕ３，ｕ４，ｕ５，ｕ６，ｕ７，ｕ８，ｕ９，ｕ１０，ｕ１１が群として一つの配管ユニットＵ１（この配管ユニットを第一配管ユニットと呼ぶ）とされ、配管部材ｕ１２，ｕ１３等が一の配管ユニットＵ２（この配管ユニットを第二配管ユニットと呼ぶ）とされる。
【００６１】
そして、これら配管ユニットＵ１，Ｕ２には、その代表となる配管部材（この配管部材を代表配管部材と呼ぶ。この代表配管部材は代表設備部材の一例である）が設定されている。図６に示す例では、第一配管ユニットＵ１の代表配管部材が流体圧計測装置ｕ１であり、第二配管ユニットＵ２の代表配管部材がバルブｕ１２である。このバルブｕ１２は、管路網を流れる流体の制御を行う制御装置として働く。
【００６２】
そして、この実施形態に係るＩＣタグ５は、図７に示すように、その記憶部５ａが独特の構成とされている。ＩＣタグ５の記憶部５ａは、配管ユニットＵ１に関連するユニット関連記憶部５ａａと、配管ユニットＵ１を成す個々の配管部材ｕ１〜ｕ１１の夫々に関連する部材関連記憶部５ａｂとに分けられている。
ユニット関連記憶部５ａａは、図７に示すように、当該配管ユニット単位の情報を記憶する記憶部であり、当該配管ユニットのユニット識別番号であるＵ1が記憶されるとともに、ユニットＵ１の接続情報Ｉ１が記憶されており、この部位の接続情報Ｉ１を得ることで、配管ユニットを順次接続した部分設備図Ｄ（図８参照）を生成することができる。さらに、この部位には当該配管ユニットＵ１を代表する代表配管部材が記憶されている。先に説明したように、第一配管ユニットＵ１の場合は流体圧計測装置ｕ１が代表配管部材として記憶されている。このように、配管ユニット単位で、その代表配管部材を登録しておくことで、このＩＣタグ５に記憶された情報の更新で、配管ユニット全体の情報の更新を完了できる。
【００６３】
一方、部材関連記憶部５ａｂには、図７に示すように、配管ユニットＵ１を成す個々の配管部材ｕ１〜ｕ１１（図６参照）に対して、記憶領域が設けられており、これら記憶領域に配管部材ｕ単位で、夫々の部材に関する設置識別番号ｉ０，接続情報ｉ１，自己情報ｉ２，保全情報ｉ３及び運転情報ｉ４が記憶されている。これら情報に加えて、点検情報或いは劣化情報を記憶しておいてもよい。
このようにすることで、配管ユニットＵ単位で部分設備図を生成可能でありながら、必要な場合は、配管部材u単位でも部分設備図Ｄ（図８参照）も生成可能となる。
【００６４】
さらに、配管ユニットＵを成す配管部材の夫々に関する保全情報ｉ３及び運転情報ｉ４は配管部材単位で個々に記憶されるため、単一のＩＣタグ５と支援装置４間の通信を確立するだけで、配管ユニット全体の情報を得ることができる。
【００６５】
〔別実施の形態〕
（１）  上記の実施の形態にあっては、設備網の例として都市ガス供給を行う配管網の例を示したが、化学プラントにおける設備網、発電プラントにおける設備網等を対象としてもよい。
（２）  上記の実施の形態にあっては、各配管部材が設備ユニットを構成する例を示したが、例えば、図１に示すｕ４〜ｕ１０に亙るＵ字管部を１つの設備部材群として設備ユニットとして認識するものとしてもよい。
（３）  上記の実施の形態にあっては、本願装置により生成される部分設備図と設備ユニットに関連する技術的情報である保全情報、運転情報、点検情報、劣化情報等を順次呼び出して出力可能とする構成に関して説明したが、部分設備図とともに、その表示に載せて出力可能とする構成を採用してもよい。このようにしておくと、現場の把握がより簡易且つ的確となる。
（４）  上記の実施の形態にあっては、部分設備図を生成する範囲は、使用者によるマニュアル操作により指定可能とするものとしたが、予め設定されている範囲に装置自体が生成範囲を決定し、部分設備図を自動生成するものとしてもよい。
【産業上の利用可能性】
【００６６】
現場の状況に的確に対応して、施工業者等が迅速且つ安全に作業を進めることができる支援システムを得ることができた。
【図面の簡単な説明】
【００６７】
【図１】第一の実施形態の支援システムの使用形態を示す説明図
【図２】支援システムのシステム構成を示す図
【図３】部分設備図の例を示す図
【図４】図１に示す配管設備に変更される前の状態を示す図
【図５】第二の実施形態の支援システムの使用形態を示す説明図
【図６】第三の実施形態の支援システムの使用形態を示す説明図
【図７】支援システムのシステム構成を示す図
【図８】第三実施形態に係る部分設備図の例を示す図
【符号の説明】
【００６８】
１：隠蔽体
２：支援システム
３：作業員
４：支援装置
４ａ：入出力部（入出力手段）
４ｂ：認識手段
４ｃ：部分設備図生成手段
４ｄ：記憶部
５：ＩＣタグ
５ａ：記憶部（記憶手段）
５ｂ：通信部
６：処理装置
６０ａ：記憶部（記憶手段）
ｄ：部分設備図
Ｄ：部分設備図
ｍ１：第１記憶部
ｍ２：第２記憶部
ｉ０：設置識別番号
ｉ１：接続情報
Ｉ１：接続情報
ｉ２：自己情報
ｉ３：保全情報
ｉ４：運転情報
ｔ：情報テーブル
ｕ：配管部材
Ｕ１：配管ユニット
Ｕ２：配管ユニット
【図１】
2006260539.tif 000003
【図２】
2006260539.tif 000004
【図３】
2006260539.tif 000005
【図４】
2006260539.tif 000006
【図５】
2006260539.tif 000007
【図６】
2006260539.tif 000008
【図７】
2006260539.tif 000009
【図８】
2006260539.tif 000010